(57)【要約】【課題】段差等に起因する癖付けが記録用テープに生じることを抑えることができながら、その構成を簡単な工程で設けることができるテープカートリッジを提供する。【解決手段】リール２の円柱状のハブ５の外周面９に、デジタルデータ等の信号を記録できる記録用テープ３が巻き付けられる。ハブ５は、段壁面１０ａを有するステップ１０がハブ５の外周面９に設けられている。ステップ１０の段壁面１０ａに続くステップ１０の段底面１０ｂは、記録用テープ３のハブ５への巻き付け方向に沿ってハブ５の外周面９へと続いている。記録用テープ３は、ハブ５への巻き付け始端側のテープ端面１１ａの少なくとも一部がステップ１０の断壁面１０ａに向かい合わせになっており、記録用テープ３の巻き付け始端が、ステップ１０の段底面１０ｂに接するようになっている。【選択図】図１
2008204513.tif 000002
【特許請求の範囲】
【請求項１】
円柱状のハブの外周面に記録用テープを巻き付けて成るテープカートリッジにおいて、
段壁面を有するステップが、前記ハブの前記外周面に設けられており、
前記段壁面での前記ハブの軸芯側の縁に続く前記ステップの段底面が、前記記録用テープの前記ハブへの巻き付け方向に沿って前記ハブの前記外周面へと続いており、
前記記録用テープは、前記ハブへの巻き付け始端側のテープ端面の少なくとも一部が前記ステップの前記断壁面に向かい合わせになっており、
前記記録用テープの前記巻き付け始端が、前記ステップの前記段底面に接するようになっていることを特徴とするテープカートリッジ。
【請求項２】
前記記録用テープの巻き付け方向に続く曲面をもって、前記ステップの前記段底面から前記ハブの前記外周面へと連続させている請求項１に記載のテープカートリッジ。
【請求項３】
前記段壁面における前記ステップの段差寸法（Ｌ）と、前記記録用テープの厚さ寸法（Ｔ）との差が、前記厚さ寸法（Ｔ）の±５％以内になるよう設定してある請求項１と２の何れかに記載のテープカートリッジ。
【発明の詳細な説明】
【技術分野】
【０００１】
本発明は、記録用テープがハブに巻き付けられた状態で収容されるテープカートリッジに関するものである。
【背景技術】
【０００２】
特許文献１には、本体ケース内に２個一対のリールを配置し、一方のリールのハブの外周面に記録用テープの一端を接着剤等で固定し、そのハブに記録用テープを巻き付けるテープカートリッジが開示されている。ところが、リールのハブの外周面に記録用テープを直接固定した場合、記録用テープのハブへの巻き付け始端側のテープ端面では、記録用テープの厚さ分の段差が生じてしまう。その場合、その段差形状が、前記巻き付け始端に重ねて巻き付けた記録用テープの部分に転写されて癖付けされてしまう。そのため、データ信号の読み書き用のヘッドが、前記癖付けされた部分で記録用テープに接触し難くなり、データ信号の読み書きの際に信号のドロップアウト等が発生するおそれがある。
【０００３】
そのため、特許文献１のテープカートリッジでは、リールのハブに最初に巻き付ける記録用テープの一部にはデータ信号を記録しないようにしており、ハブに対して記録用テープを複数回巻き付けたことで前記段差形状がほとんど現れなくなった記録用テープの部分以降に、データ信号を記録するようにしている。
【０００４】
特許文献２のテープカートリッジでは、本体ケース内に２個一対のリールを配置し、各リールのハブに凹部を設けるとともに、その凹部に嵌め込むクランク部材を有し、記録用テープの各端部を、クランク部材と各リールのハブの凹部との間にそれぞれ挟み込んで固定してから、各リールのハブに記録用テープを巻き付けている。そのハブの外周面とクランク部材の外面とは面一状に繋がることが望ましいが、製造誤差等によってハブの外周面とクランク部材の外面との間に段差が生じる。その場合、ハブの外周面とクランク部材の外面との間の段差形状が記録用テープに転写されて癖付けされてしまい、データ信号のドロップアウト等が発生するおそれがある。
【０００５】
このため、特許文献２のテープカートリッジでは、記録用テープに予め厚み調整シートを取り付けておき、記録用テープをリールのハブに巻き付けた際に、厚み調整シートがクランク部材の外面側の段差部に嵌まり込むことで、厚み調整シートによって前記段差部を埋めるようにしてある。
【０００６】
【特許文献１】特開２００５−３０２１１３号公報（図１・図３）
【特許文献２】特開平７−２３５１６２号公報（図４）
【発明の開示】
【発明が解決しようとする課題】
【０００７】
特許文献１のテープカートリッジでは、リールのハブに最初に巻き付ける記録用テープの一部がデータ信号の記録に用いられないために、その記録用テープの一部の分だけ記録用テープの無駄が生じることになり、これに伴って記録用テープ全体に記録できるデータ信号の容量の低下等を招くことになる。特に、記録用テープの記録密度が大きくなると、僅かの段差でもデータ信号のドロップアウト等が発生するおそれがあるために、ハブに対して記録用テープをより多く巻き付けて、前記段差形状を一層現れなくする必要があり、その分だけ記録用テープの無駄がより多くなる。
【０００８】
特許文献２のテープカートリッジでは、厚み調整シートを記録用テープの所定位置に取り付けなければならない分だけ記録用テープの加工工程等の複雑化を招いてしまい、記録用テープのコストアップ等を招いてしまうことになる。しかも、経年変化等によって記録用テープが伸びてしまうと、厚み調整シートがクランク部材の外面側の段差部の位置からずれてリールのハブの外周面に載ってしまい、それによって厚み調整シートの厚さ分の段差を生じさせることになる。
【０００９】
そこで本発明の目的は、段差等に起因する癖付けが記録用テープに生じることを抑えることができながら、その構成を簡単な工程で設けることができるテープカートリッジを提供することにある。
【課題を解決するための手段】
【００１０】
本発明に係るテープカートリッジは、円柱状のハブ５の外周面９に記録用テープ３を巻き付けて成るテープカートリッジにおいて、段壁面１０ａを有するステップ１０が、ハブ５の外周面９に設けられており、ステップ１０の段壁面１０ａでのハブ５の軸芯側の縁に続くステップ１０の段底面１０ｂが、記録用テープ３のハブ５への巻き付け方向に沿ってハブ５の外周面９へと続いており、記録用テープ３は、ハブ５への巻き付け始端側のテープ端面１１ａの少なくとも一部がステップ１０の断壁面１０ａに向かい合わせになっており、記録用テープ３の巻き付け始端が、ステップ１０の段底面１０ｂに接するようになっていることを第１の特徴とする（図１・図３）。
【００１１】
本発明に係るテープカートリッジの第２の特徴は、前記第１の特徴に加えて、記録用テープ３の巻き付け方向に続く曲面をもって、ステップ１０の段底面１０ｂからハブ５の外周面９へと連続させている点にある（図１・図３）。
【００１２】
本発明に係るテープカートリッジの第３の特徴は、前記第１および第２の何れかの特徴に加えて、段壁面１０ａにおけるステップ１０の段差寸法Ｌと、記録用テープ３の厚さ寸法Ｔとの差が、前記厚さ寸法Ｔの±５％以内になるよう設定してある点が異なる。
【発明の効果】
【００１３】
本発明のテープカートリッジは、記録用テープ３におけるハブ５への巻き付け始端側のテープ端面１１ａの少なくとも一部を、ステップ１０の断壁面１０ｂに向かい合わせにした状態で、記録用テープ３をハブ５の外周面９に巻き付けるので、記録用テープ３の巻き付け始端側のテープ端面１１ａと、ハブ５の外周面９との間で生じる段差を小さくすることができる。したがって、ハブ５の外周面９に沿って一周回った位置の周回テープ部分１２が記録用テープ３のテープ端面１１ａの外側に重なっても、その周回テープ部分１２が段差状に折れ曲がることが低減され、それによってその段差形状が、記録用テープ３に転写されて癖付けされることが抑えられる。
【００１４】
また、ステップ１０の段底面１０ｂが、記録用テープ３のハブ５への巻き付け方向に沿ってハブ５の外周面９へと続いているので、ステップ１０の段底面１０ｂとハブ５の外周面９との境目で、記録用テープ３が折れ曲がることが低減され、それによってその折れ曲がりが記録用テープ３に癖付けされることが抑えられる。
【００１５】
つまり、ハブ５の外周面９にステップ１０を設けるといった簡単な構成でありながら、段差等に起因する記録用テープ３への癖付けが抑えられ、それによって記録用テープ３へのデータ信号の読み書きの際に、信号のドロップアウト等が発生することを確実に低減することができる。
【００１６】
本発明では、記録用テープ３の巻き付け方向に続く曲面をもって、ステップ１０の段底面１０ｂからハブ５の外周面９へと連続しているので、記録用テープ３が、ステップ１０の段底面１０ｂから円柱状に湾曲するハブ５の外周面９へと滑らかに巻き付くことができる。したがって、記録用テープ３が折れ曲がることがより確実に低減されて、記録用テープ３の折れ曲がりによって、記録用テープ３へのデータ信号の読み書きの際に信号のドロップアウト等が発生することをより確実に低減することができる。
【００１７】
本発明では、段壁面１０ａにおけるステップ１０の段差寸法Ｌと、記録用テープ３の厚さ寸法Ｔとの差が前記厚さ寸法Ｔの±５％以内になるので、段差形状が記録用テープ３に転写されて癖付けされることが確実に低減され、記録用テープに対してデータ信号の読み書きの際に信号のドロップアウト等が発生することを確実に低減することができる。
【発明を実施するための最良の形態】
【００１８】
図１ないし図４は、本発明を適用したテープカートリッジを示しており、図２に示すように、四角形状の上下ケースを蓋合わせ状に結合してなる四角箱形状のケース本体１と、ケース本体１内に収容された１個のリール２と、リール２に巻装された状態でケース本体１内に収容される記録用テープ３とを有する単リール型のテープカートリッジに形成されている。記録用テープ３は、磁気テープ等から成り、デジタルデータ等の信号が記録可能になっている。記録用テープ３の厚さ寸法Ｔ（図３参照）は、例えば８μｍである。
【００１９】
記録用テープ３の繰り出し方向の先端側にはリーダーブロックが連結されており、ケース本体１の側面にはテープ引出口が開口している。テープ引出口の内側には、不使用時のリーダーブロックを保持するための受座を設けてある。不使用時には、リールロック機構によってリール２がロックされてリール２の遊転が阻止される。そして、テープカートリッジを使用するために外部装置に装填したときには、外部装置によってリールロック機構でのリール２のロックが解除されるとともに、外部装置の捕捉手段でリーダーブロックが捕捉されてケース本体１から引き出され、それに伴って記録用テープ３がケース本体１から繰り出される。
【００２０】
その記録用テープ３は、外部装置のローディング経路を経て外部装置の巻取リールに巻き取られる。外部装置のローディング経路の途中には、記録再生用のヘッドが配されており、そのヘッドに対して記録用テープ３が接触することで、記録用テープ３に記録された信号がヘッドによって記録用テープ３から読み出され、あるいは信号がヘッドによって記録用テープ３に記録される。
【００２１】
リール２は、図４に示すように、記録用テープ３が巻き付けられる中空の円柱状のハブ５と、そのハブ５の下端に一体形成されるドーナツ盤形状の下フランジ６と、ハブ５の上端に超音波溶着等で固定されるドーナツ盤形状の上フランジ７とを有している。なお、ハブ５の内側は詰まっていてもよい。円柱状に湾曲したハブ５の外周面９の一部には、図１および図３に示すように、ハブ５の軸芯側（図１では左側）へ延びる段壁面１０ａを有するステップ１０が設けられている。
【００２２】
ステップ１０は、その段壁面１０ａでのハブ５の軸芯側の縁に続く段底面１０ｂが記録用テープ３のハブ５への巻き付け方向（図１では時計回り方向）に沿ってハブ５の外周面９へと続いている。詳しくは、ステップ１０の段底面１０ｂは、記録用テープ３の巻き付け方向に沿ってハブ５の外周面９側へ次第に近づく曲面に形成されており、その記録用テープ３の巻き付け方向に続く曲面をもって、ステップ１０の段底面１０ｂからハブ５の外周面９へと段差なく滑らかに連続している。
【００２３】
そして、記録用テープ３は、ハブ５へ巻き付ける際には、ハブ５への巻き付け開始の始端側のテープ端面１１ａがステップ１０の断壁面１０ｂに向かい合わせになるよう配置され、その際には少なくとも記録用テープ３の巻き付け始端がステップ１０の段底面１０ｂに接する（図１の状態）。なお、記録用テープ３におけるハブ５への巻き付け開始の始端部１１は、記録層のない透明テープ等であってもよい。また、ステップ１０の段底面１０ｂは、その全体を曲面に形成してもよいが、加工性の点から前記段壁面１０ａ側の縁から前記巻き付け方向の終端近くまでを平面に形成し、前記巻き付け方向の終端部分のみを曲面状に形成してもよい。
【００２４】
ハブ５のステップ１０の段壁面１０ａにおける段差寸法Ｌは、図３に示すように、記録用テープ３の厚さ寸法Ｔにほぼ一致している。つまり、記録用テープ３をハブ５へ巻き付けるときには、図１に示すように、記録用テープ３のテープ端面１１ａと、ハブ５の外周面９との間で段差がほとんど生じないことになる。記録用テープ３をハブ５へ巻き付けることに先立って、ハブ５のステップ１０の段底面１０ｂの少なくとも一部や、その段底面１０ｂの終端付近のハブ５の外周面９等に接着剤等を配するようになっており、これによって記録用テープ３の始端部１１の少なくとも一部が、ハブ５のステップ１０の段底面１０ｂに固定される。なお、記録用テープ３の始端部１１の内側（図１では左側）の少なくとも一部に接着剤等を配してもよい。また、記録用テープ３のテープ端面１１ａと、ハブ５のステップ１０の段壁面１０ａとは、ほぼ隙間なく臨むことになる。
【００２５】
記録用テープ３の一部をハブ５に固定した状態で、ハブ５の外周面９に記録用テープ３を巻き付ける。その際、記録用テープ３は、ハブ５の外周面９に沿って一周回った位置の周回テープ部分１２が記録用テープ３の始端側のテープ端面１１ａの外側に重なるが（図１の状態）、前述のように記録用テープ３の始端側のテープ端面１１ａと、ハブ５の外周面９との間で段差がほとんど生じていないので、その周回テープ部分１２には、段差状の折れ曲がりがほとんど生じないことになる。それに伴って、周回テープ部分１２に幾重にも重なる記録用テープ３の部分も折れ曲がることがほとんどない。
【００２６】
また、記録用テープ３の始端部１１は、図１に示すように、ハブ５の外周面９へ滑らかに繋がるハブ５のステップ１０の段底面１０ｂに沿って巻き付けられるので、ハブ５のステップ１０の段底面１０ｂの終端とハブ５の外周面９との境目で、記録用テープ３がほとんど折れ曲がることがなく、ステップ１０の段底面１０ｂの終端と外周面９との境目に幾重にも重なる記録用テープ３が折れ曲がることはほとんどない。
【００２７】
なお、段壁面１０ａにおけるステップ１０の段差寸法Ｌと、記録用テープ３の厚さ寸法Ｔとは一致することが好ましいが、段壁面１０ａにおけるステップ１０の段差寸法Ｌは、記録用テープ３の厚さ寸法Ｔにその厚さ寸法Ｔの±５％以内の寸法を加えたものであってもよい。それによって記録用テープ３に僅かの段差が生じても、その程度の段差では記録用テープ３に折れ曲がりが起こり難く、したがって信号のドロップアウト等の発生はほとんど起こらない。
【００２８】
ステップ１０の段壁面１０ａは、ハブ５の外周面９の接平面に直交する法線方向に沿って延びていてもよく、その法線方向に対して傾斜する方向に沿って延びていてもよい。段壁面１０ａが前記法線方向に対して傾斜している場合には、その傾斜に合わせて記録用テープ３の始端側のテープ端面１１ａを傾斜状に形成して、記録用テープ３のテープ端面１１ａと、ハブ５のステップ１０の段壁面１０ａとが、ほぼ隙間なく臨むことができるようにしてもよい。
【００２９】
ハブ５のステップ１０は、ハブ５を成形してから切削して形成してもよく、ハブ５の成形と同時に形成してもよい。記録用テープ３は、ハブ５に固定されていなくてもよい。その場合、外部装置は、記録用テープ３を始端部１１付近まで繰り出さないように制御することになる。
【図面の簡単な説明】
【００３０】
【図１】本発明に係るテープカートリッジのハブの要部を示す部分断面図である。
【図２】テープカートリッジの平面図である。
【図３】ハブのステップと記録用テープとの関係を示す平面図である。
【図４】リールの分解斜視図である。
【符号の説明】
【００３１】
１  ケース本体
２  リール
３  記録用テープ
５  ハブ
９  外周面
１０  ステップ
１０ａ  段壁面
１０ｂ  段底面
１１  始端部
１１ａ  テープ端面
【図１】
2008204513.tif 000003
【図２】
2008204513.tif 000004
【図３】
2008204513.tif 000005
【図４】
2008204513.tif 000006